(57)【要約】【課題】適正に整列した状態でのブロックの敷設を容易とすることのできる目地キープ付きブロックを提供する。【解決手段】目地キープ付きブロックのブロック側面（ａ，ｃ，ｅ，ｇ）に形成された目地キープ４を、同ブロックの他のブロック側面（ｂ，ｄ，ｆ，ｈ）に形成された目地キープ５と係合可能な形状に形成し、それらの目地キープ４，５を、敷設時に隣接するブロックの目地キープと係合させることで、敷設面におけるブロック間の相対位置が自ずと定まるようにした。【選択図】図１
2012072634.tif 000002
【特許請求の範囲】
【請求項１】
目地キープ用の突起が側面に突出形成された目地キープ付きブロックにおいて、
当該ブロックの一側面に形成された目地キープが、該ブロックの他の側面に形成された目地キープと係合可能な形状に形成されてなる
ことを特徴とする目地キープ付きブロック。
【請求項２】
前記目地キープは、隣接するブロックとの前記目地キープ同士の係合により、ブロック敷設面における前記目地キープの形成側面に沿った前記ブロックの変位を規制可能に形成されてなる
ことを特徴とする請求項１に記載の目地キープ付きブロック。
【請求項３】
前記一側面に形成される目地キープは一山の突起とされ、前記他の側面に形成される目地キープは、前記一山の突起の幅分の間隔を置いて配設された二山の突起とされてなる
請求項１又は２に記載の目地キープ付きブロック。
【請求項４】
当該ブロックは、４つの長方形を＃型に組み合わせた平面形状を有し、各長方形の短辺に対応するブロック側面に前記目地キープがそれぞれ形成されてなる
ことを特徴とする請求項１〜３のいずれか１項に記載の目地キープ付きブロック。
【請求項５】
当該ブロックは、地中に埋設される基部と、その基部から上方に突出形成されてその頂部が地上に露出する凸部とを備える緑化ブロックとされてなる
請求項１〜４のいずれか１項に記載の目地キープ付きブロック。
【発明の詳細な説明】
【技術分野】
【０００１】
本発明は、側面に目地キープ用の突起が一体形成された目地キープ付きブロックに関するものである。
【背景技術】
【０００２】
舗装などに使用されるブロックとして、ブロック間の目地幅を確保するための目地キープが一体成形されたものがある。目地キープは、ブロックの側面に突出形成された突起であり、そうした目地キープを備えるブロックは、敷き詰めた際に、隣接するブロックの側面間にその突起の高さ分の目地が確保されるようになる。また目地キープは、ブロックの角欠を防止する目的で設けられることもある。
【０００３】
従来、そうした目地キープを備えた舗装用のブロックとして、特許文献１に記載のものが知られている。同文献１に記載のブロックは、図１４に示すように、上方が鋭角となった二等辺三角形の目地キープ５０がブロックの各側面５１，５２に突出形成されたものとなっている。こうした目地キープ５０を備えるブロックは、その目地キープ５０の上方が鋭角となっているため、砂等の目地材を上方から目地内に容易に浸透させることが可能となっている。
【先行技術文献】
【特許文献】
【０００４】
【特許文献１】特開平８−３９０６号公報
【発明の概要】
【発明が解決しようとする課題】
【０００５】
ところで、ブロックをきれいに整列した状態で敷き詰めるには、糸などを使用して線引きを行い、その線に側面を合わせてブロックを、一つずつ位置合わせをしながら敷設していく必要がある。こうした作業は、非常に手間がかかり、また作業者に熟練を要するものとなっている。また、こうしてブロックをきれいに敷設しても、モルタル等でブロックを完全に固定しない場合には、敷設後にブロックが外力を受けて動いてしまい、その敷設位置がずれてしまうこともある。
【０００６】
本発明は、こうした実情に鑑みてなされたものであって、その解決しようとする課題は、適正に整列した状態でのブロックの敷設を容易とすることのできる目地キープ付きブロックを提供することにある。
【課題を解決するための手段】
【０００７】
（請求項１）
請求項１に記載の発明は、目地キープ用の突起が側面に突出形成された目地キープ付きブロックにおいて、当該ブロックの一側面に形成された目地キープが、該ブロックの他の側面に形成された目地キープと係合可能な形状に形成されてなることをその要旨としている。
【０００８】
上記の如く構成された目地キープ付きブロックでは、隣接するブロックの目地キープと自身の目地キープとを係合させることで、敷設面における隣接するブロック間の相対位置が自ずと定まるようになる。そのため、ブロック側面に形成された目地キープを隣接するブロックの目地キープと係合させるようにブロックを敷設していけば、各ブロックが適正に整列するようになる。したがって、上記構成によれば、適正に整列した状態でのブロックの敷設を容易とすることができるようになる。
【０００９】
（請求項２）
請求項２に記載の発明は、請求項１に記載の目地キープ付きブロックにおいて、前記目地キープは、隣接するブロックとの前記目地キープ同士の係合により、ブロック敷設面における前記目地キープの形成側面に沿った前記ブロックの変位を規制可能に形成されてなることをその要旨としている。
【００１０】
このように構成された目地キープ付きブロックは、隣接するブロックとの目地キープ同士の係合により、ブロック敷設面における目地キープ形成側面に沿ったブロックの変位が規制されるようになる。したがって、上記構成によれば、適正に整列した状態でのブロックの敷設をより容易、かつより確実に行うことができるようになる。
【００１１】
（請求項３）
請求項３に記載の発明は、請求項１又は２に記載の目地キープ付きブロックにおいて、前記一側面に形成される目地キープは一山の突起とされ、前記他の側面に形成される目地キープは、前記一山の突起の幅分の間隔を置いて配設された二山の突起とされてなることをその要旨としている。
【００１２】
このように構成された目地キープ付きブロックは、適正に整列した状態でのブロックの敷設を容易としつつも、目地キープを簡易な形状とすることができる。そのため、上記構成では、適正に整列した状態でのブロックの敷設を容易とした目地キープ付きブロックの製造を容易とすることができるようになる。
【００１３】
（請求項４）
請求項４に記載の発明は、請求項１〜３のいずれか１項に記載の目地キープ付きブロックにおいて、当該ブロックは、４つの長方形を＃型に組み合わせた平面形状を有し、各長方形の短辺に対応するブロック側面に前記目地キープがそれぞれ形成されてなることをその要旨としている。
【００１４】
４つの長方形を＃型に組み合わせた平面形状を有したブロックの場合には、例えば上記態様で目地キープを形成することで、適正に整列した状態でのブロックの敷設を容易とすることができるようになる。
【００１５】
（請求項５）
請求項５に記載の発明は、請求項１〜４のいずれか１項に記載の目地キープ付きブロックにおいて、当該ブロックは、地中に埋設される基部と、その基部から上方に突出形成されてその頂部が地上に露出する凸部とを備える緑化ブロックとされてなることをその要旨としている。
【００１６】
こうした緑化ブロックでは、砂や土などが目地材として目地内に充填され、ブロックが完全に固定されないため、敷設後に外力によってブロックが動いてしまうことがある。その点、本発明では、目地キープ同士の係合でブロック間の相対変位が規制されるため、ブロックが完全に固定されない緑化ブロックにあっても、敷設後における敷設面でのブロックの移動を好適に抑制することができるようになる。
【発明の効果】
【００１７】
本発明の目地キープ付きブロックによれば、適正に整列した状態でのブロックの敷設を容易とすることができるようになる。
【図面の簡単な説明】
【００１８】
【図１】本発明の第１実施形態に係る目地キープ付きブロックの平面構造を示す平面図。
【図２】同実施形態の目地キープ付きブロックの正面構造を示す正面図。
【図３】同実施形態の目地キープ付きブロックの側面構造を示す側面図。
【図４】同実施形態の目地キープ付きブロックの敷設態様の一例を示す平面図。
【図５】図４の円Ｖで示される部分を拡大して示す平面図。
【図６】図４の円ＶＩで示される部分を拡大して示す平面図。
【図７】同実施形態の目地キープ付きブロックの敷設態様の一例を示す平面図。
【図８】同実施形態の目地キープ付きブロックの敷設態様の他の例を示す平面図。
【図９】本発明の第２実施形態に係る目地キープ付きブロックの平面構造を示す平面図。
【図１０】同実施形態の目地キープ付きブロックの敷設態様の一例を示す平面図。
【図１１】同実施形態の目地キープ付きブロックの敷設態様の他の例を示す平面図。
【図１２】本発明の第３実施形態に係る目地キープ付きブロックの平面構造を示す平面図。
【図１３】同実施形態の目地キープ付きブロックの敷設態様の一例を示す平面図。
【図１４】従来の目地キープ付きブロックの斜視構造を示す斜視図。
【発明を実施するための形態】
【００１９】
（第１の実施の形態）
以下、本発明の目地キープ付きブロックを具体化した第１の実施の形態を、図１〜図８を参照して詳細に説明する。なお、本実施の形態の目地キープ付きブロックは、地中に埋設される基部と、その基部から上方に突出形成されてその頂部が地上に露出する凸部とを備える緑化ブロックとして構成されている。
【００２０】
図１は、本実施の形態の目地キープ付きブロックの平面構造を示している。同図に示すように、この目地キープ付きブロックは、４つの長方形Ａ〜Ｄを＃型に組み合わせたような平面形状に形成されている。
【００２１】
図２は、こうした本実施の形態の目地キープ付きブロックの正面側面構造を示している。また図３は、その側面構造を示している。これらの図に示すように、この目地キープ付きブロックは、＃型の平面形状を有する基部１と、その基部１から上方に突出する長方形の平面形状をなす２つの凸部２とからなっている。なお、以下では、目地キープ付きブロックの凸部２以外の部位を凹部３と記載する。
【００２２】
上記各図に示されるように、上記各長方形の短辺に対応する８つのブロック側面ａ〜ｈには、目地キープ４，５がそれぞれ突出形成されている。上記各長方形の短辺に対応する８つブロック側面ａ〜ｈのうちの４つ（ａ，ｃ，ｅ，ｇ）に形成された目地キープ４は、一山の突起とされている。そして残りの４つのブロック側面（ｂ，ｄ，ｆ，ｈ）に形成される目地キープ５は、二山の突起となっている。なお、この目地キープ５の二山の突起は、目地キープ４の一山の突起の幅分の間隔を置いて配設されている。そのため、一山突起の目地キープ４は、二山突起の目地キープ５に係合可能な形状となっている。
【００２３】
ちなみに、上記各長方形の２つの短辺にそれぞれ対応する２つのブロック側面では、その一方に一山突起の目地キープ４が形成され、その他方に二山突起の目地キープ５が形成されるようになっている。また同じ側に面した２つのブロック側面では、その一方に一山突起の目地キープ４が形成され、その他方に二山突起の目地キープ５が形成されるようになっている。すなわち、この目地キープ付きブロックでは、各目地キープ４，５は、当該ブロックの敷設平面において、同敷設平面におけるブロックの中心点Ｏに対して点対称となるように配置されている。
【００２４】
図４は、こうした目地キープ付きブロックの敷設態様の一例を示している。また図５には、図４の円Ｖで示される部分が拡大して示され、図６には、図４の円ＶＩで示される部分が拡大して示されている。なお、円Ｖ、円ＶＩの両部分はいずれも、隣接するブロックとの当接部分を示している。図５に示されるように、ブロック側面ａに形成された一山突起の目地キープ４は、隣接するブロックのブロック側面に形成された二山突起の目地キープ５と係合するようになっている。また図６に示すように、ブロック側面ｂに形成された二山突起の目地キープ５は、隣接するブロックのブロック側面に形成された一山突起の目地キープ４と係合するようになっている。こうして目地キープ付きブロックのブロック側面ａ〜ｈに形成された目地キープ４，５のすべてが隣接するブロックの目地キープ４，５に係合されるようになっている。そしてこうした隣接するブロックとの目地キープ同士の係合により、ブロック敷設面における目地キープ形成側面に沿ったブロックの変位が規制されるようになっている。
【００２５】
図７は、こうした目地キープ付きブロックの敷設態様の一例を示している。同図では、すべて同じ向きで各ブロックが配列されている。また図８は、目地キープ付きブロックの敷設態様の別の例を示している。同図では、交互に向きを変えて各ブロックが配列されている。いずれの敷設態様においても、各ブロックのブロック側面ａ〜ｈに形成された目地キープ４，５のすべてが隣接するブロックの目地キープ４，５に係合されるようになっている。なお、図７，８では、地中に埋設された部位の形状が点線にて示されている。
【００２６】
以上説明した本実施の形態の目地キープ付きブロックによれば、以下の効果を奏することができる。
（１）本実施の形態では、目地キープ付きブロックのブロック側面（ａ，ｃ，ｅ，ｇ）に形成された目地キープ４が、該ブロックの他のブロック側面（ｂ，ｄ，ｆ，ｈ）に形成された目地キープ５と係合可能な形状に形成されている。こうした本実施の形態の目地キープ付きブロックでは、隣接するブロックの目地キープ４，５と自身の目地キープ４，５とを係合させることで、ブロック敷設面における隣接するブロック間の相対位置が自ずと定まるようになる。そのため、ブロック側面ａ〜ｈに形成された目地キープ４，５を隣接するブロックの目地キープ４，５と係合させるようにブロックを敷設していけば、各ブロックが適正に整列するようになる。したがって、本実施の形態によれば、適正に整列した状態でのブロックの敷設を容易とすることができるようになる。
【００２７】
（２）上記のような目地キープ４，５を備える本実施の形態の目地キープ付きブロックでは、隣接するブロックとの目地キープ４，５の係合により、敷設面におけるブロックの変位が規制されるようになる。そのため、本実施の形態の目地キープ付きブロックによれば、敷設後に外力によるブロックの移動を効果的に抑制することができるようになる。
【００２８】
（３）本実施の形態では、目地キープは、隣接するブロックとの目地キープ同士の係合により、ブロック敷設面における目地キープ形成側面に沿ったブロックの変位を規制可能に目地キープ４，５が形成されている。このように構成された目地キープ付きブロックは、隣接するブロックとの目地キープ同士の係合により、ブロック敷設面における目地キープ形成側面に沿ったブロックの変位が規制されるようになる。そのため、適正に整列した状態でのブロックの敷設をより容易、かつより確実に行うことができるようになる。
【００２９】
（４）本実施の形態では、ブロック側面ａ〜ｈのうちの４つ（ａ，ｃ，ｅ，ｇ）に形成される目地キープ４を一山の突起とするとともに、他のブロック側面（ｂ，ｄ，ｆ，ｈ）に形成される目地キープを、上記一山の突起の幅分の間隔を置いて配設された二山の突起とするようにしている。このように構成された目地キープ付きブロックは、適正に整列した状態でのブロックの敷設を容易としつつも、その目地キープ４，５を簡易な形状とすることができる。そのため、本実施の形態によれば、適正に整列した状態でのブロックの敷設を容易とした目地キープ付きブロックの製造を容易とすることができるようになる。
【００３０】
（５）本実施の形態では、地中に埋設される基部１と、その基部１から上方に突出形成されてその頂部が地上に露出する凸部２とを備える緑化ブロックのブロック側面ａ〜ｈに、上記のような目地キープ４，５を形成するようにしている。こうした緑化ブロックでは、砂や土などが目地材として目地内に充填され、ブロックが完全に固定されないため、敷設後に外力によってブロックが動いてしまうことがある。その点、本実施の形態では、目地キープ同士の係合でブロック間の相対変位が規制されるため、ブロックが完全に固定されない緑化ブロックにあっても、敷設後における敷設面でのブロックの移動を好適に抑制することができるようになる。
【００３１】
（第２の実施の形態）
次に、本発明の目地キープ付きブロックを具体化した第２の実施の形態を、図９〜図１１を併せ参照して説明する。本実施の形態は、直方体形状のブロックに、適正に整列した状態でのブロックの敷設を容易とする目地キープを設けたものとなっている。
【００３２】
図９は、そうした本実施の形態のブロックの平面構造を示している。同図に示すように、このブロックは、その平面形状が、短辺の２倍の長さの長辺を有した長方形となるように形成されている。
【００３３】
こうした本実施の形態の目地キープ付きブロックの上記長方形の短辺に対応する２つのブロック側面ｉ，ｊには、一山突起の目地キープ１０と、２山突起の目地キープ１１とがそれぞれ突出形成されている。また、このブロックの上記長方形の長辺に対応する２つのブロック側面ｋ，ｌには、２つの一山突起の目地キープ１０と、２つの二山突起の目地キープ１１とがそれぞれ突出形成されている。
【００３４】
このブロックにおいても、目地キープ１１の二山の突起は、目地キープ１０の一山の突起の幅分の間隔を置いて配設されており、目地キープ１０と目地キープ１１とは互いに係合可能な形状に形成されている。なお、各目地キープ１０，１１は、当該ブロックの敷設平面において、同敷設平面におけるブロックの中心点Ｏに対して点対称となるように配置されている。
【００３５】
図１０は、こうした本実施の形態の目地キープ付きブロックの敷設態様の一例を示している。また図１１は、本実施の形態の目地キープ付きブロックの敷設態様の他の例を示している。いずれの敷設態様においても、各ブロックのブロック側面ｉ〜ｌに形成された目地キープ１０，１１のすべてが隣接するブロックの目地キープ１０，１１に係合されるようになっている。そしてこうした隣接するブロックとの目地キープ同士の係合により、ブロック敷設面における目地キープ形成側面に沿ったブロックの変位が規制されるようになっている。
【００３６】
なお、こうした本実施の形態の目地キープ付きブロックによっても、上記（１）〜（４）に記載のものと同様の効果を奏することができる。
（第３の実施の形態）
次に、本発明の目地キープ付きブロックを具体化した第３の実施の形態を、図１２，１３を併せ参照して説明する。本実施の形態は、平面形状が正方形をなす、直方体形状のブロックに、適正に整列した状態でのブロックの敷設を容易とする目地キープを設けたものとなっている。
【００３７】
図１２は、こうした本実施の形態の目地キープ付きブロックの平面構造を示している。同図に示すように、このブロックの各ブロック側面ｍ〜ｐには、一山突起の目地キープ１２と、２山突起の目地キープ１３とがそれぞれ１つずつ突出形成されている。また各目地キープ１２，１３は、当該ブロックの敷設平面において、同敷設平面におけるブロックの中心点Ｏに対して点対称となるように配置されている。
【００３８】
図１３は、こうした本実施の形態の目地キープ付きブロックの敷設態様の一例を示している。同図に示すように、各ブロックのブロック側面ｍ〜ｐに形成された目地キープ１２，１３のすべてが隣接するブロックの目地キープ１２，１３に係合されるようになっている。そしてこうした隣接するブロックとの目地キープの係合により、ブロック敷設面における目地キープ形成側面に沿ったブロックの変位が規制されるようになっている。
【００３９】
なお、こうした本実施の形態の目地キープ付きブロックによっても、上記（１）〜（４）に記載のものと同様の効果を奏することができる。
上記各実施の形態は、以下のように変更して実施することもできる。
【００４０】
・第１の実施の形態では、ブロック側面にそれぞれ１つずつ目地キープ４，５を形成するようにしていたが、各ブロック側面に複数の目地キープを形成するようにすることもできる。この場合にも、目地キープ４，５が適宜な位置に形成されていれば、隣接するブロックとの目地キープ４，５の係合により、適正に整列した状態でのブロックの敷設を容易とすることができるようになる。また敷設後の敷設平面におけるブロックの移動を効果的に抑制することができるようにもなる。
【００４１】
・第２の実施の形態では、長方形をなすブロックの平面形状における短辺に対応するブロック側面ｉ，ｊに、一山突起の目地キープ１０と２山突起の目地キープ１１とをそれぞれ１つずつ突出形成するようにしている。また同長方形の長辺に対応するブロック側面ｋ，ｌには、一山突起の目地キープ１０と二山突起の目地キープ１１とをそれぞれ２つずつ突出形成するようにしている。こうした各ブロック側面ｉ〜ｌにおける目地キープ１０，１１の数は、これに限らず適宜に変更しても良い。例えば上記長方形の短辺に対応するブロック側面ｉ，ｊに一山突起の目地キープ１０と２山突起の目地キープ１１とのいずれか１つを形成し、上記長方形の長辺に対応するブロック側面ｋ，ｌに一山突起の目地キープ１０と２山突起の目地キープ１１とをそれぞれ１つずつ形成するようにすることも可能である。こうした場合にも、各目地キープ１０，１１が適宜な位置に形成されていれば、隣接するブロックとの目地キープ１０，１１の係合により、適正に整列した状態でのブロックの敷設を容易とすることができるようになる。また敷設後の敷設平面におけるブロックの移動を効果的に抑制することができるようにもなる。
【００４２】
・第３の実施の形態では、各ブロック側面ｍ〜ｐには、一山突起の目地キープ１２と、２山突起の目地キープ１３とをそれぞれ１つずつ突出形成するようにしていた。各ブロック側面ｍ〜ｐに形成する目地キープ１２，１３の数は、これに限らず適宜に変更しても良い。こうした場合にも、目地キープ１２，１３が適宜な位置に形成されていれば、隣接するブロックとの目地キープ１２，１３の係合により、適正に整列した状態でのブロックの敷設を容易とすることができるようになる。また敷設後の敷設平面におけるブロックの移動を効果的に抑制することができるようにもなる。
【００４３】
・上記実施の形態では、目地キープ付きブロックの敷設平面において、同敷設平面におけるブロックの中心点Ｏに対して点対称となるように一山、二山の各目地キープが配置されていたが、こうした配置は必須ではなく、それ以外の態様で各目地キープを配置することもできる。そうした場合であれ、各目地キープが適宜な位置に配置されていれば、適正に整列した状態でのブロックの敷設を容易としたり、敷設後の敷設平面におけるブロックの移動を効果的に抑制したりすることができるようになる。
【００４４】
・上記実施の形態では、目地キープ付きブロックの一側面に一山の突起からなる目地キープ４，１０，１２を形成し、他の側面にその目地キープ４，１０，１２の一山突起の幅分の間隔を置いて配置された二山の突起からなる目地キープ５，１１，１３を形成するようにしていた。各目地キープの形状は、互いに係合可能な形状であれば、これに限らず適宜に変更しても良い。例えば目地キープ４，１０，１２を二山の突起として形成するとともに、目地キープ５，１１，１３を三山の突起として形成した場合にも、これらを互いに係合可能とすることができる。
【００４５】
・目地キープ付きブロックの形状は、上記各実施の形態に提示した以外の任意の形状とすることができる。そうした場合にも、ブロックの一側面に形成された目地キープを、同ブロックの他の側面に形成された目地キープと係合可能な形状とし、かつ敷設時に隣接するブロックと目地キープ同士が係合するようにしさえすれば、適正に整列した状態でのブロックの敷設を容易することは可能である。
【符号の説明】
【００４６】
１…基部、２…凸部、３…凹部、４，１０，１２…（一山突起の）目地キープ、５，１１，１３…（二山突起の）目地キープ、ａ〜ｐ…ブロック側面、Ｏ…ブロック敷設面におけるブロックの中心点。
【図１】
2012072634.tif 000003
【図２】
2012072634.tif 000004
【図３】
2012072634.tif 000005
【図４】
2012072634.tif 000006
【図５】
2012072634.tif 000007
【図６】
2012072634.tif 000008
【図７】
2012072634.tif 000009
【図８】
2012072634.tif 000010
【図９】
2012072634.tif 000011
【図１０】
2012072634.tif 000012
【図１１】
2012072634.tif 000013
【図１２】
2012072634.tif 000014
【図１３】
2012072634.tif 000015
【図１４】
2012072634.tif 000016